(57)【特許請求の範囲】
【請求項１】
ごみピットや汚水処理槽等の建屋における屋根構造において、
鉄骨により架構された屋根架構の上面を折版で葺いて成る屋根構造の鉄骨梁の下フランジ間へフラットデッキが架設され、前記フラットデッキの上面に気密性シートが敷設されており、
前記気密性シートの周縁部が周接する部材の立ち上がり面に沿ってシール材が設けられ、該シール材へ前記気密性シートの周縁部を前記シール材に沿って貼り付けて、前記気密性シートの周縁部と前記部材の立ち上がり面との境界部分の隙間を塞ぎ、前記気密性シートが気密構造に止着されていることを特徴とする、屋根構造。
【請求項２】
長尺の気密性シートがフラットデッキの上面へ敷設され、同気密性シートの長手方向の縁部は該気密性シートの周縁部が周接する部材の立ち上がり面へ気密構造に止着され、長手方向の端部も前記周接する部材の立ち上がり面へ気密構造に止着され、更に長尺の気密性シート同士の隣接縁同士も気密的に接合されていることを特徴とする、請求項１に記載した屋根構造。
【発明の詳細な説明】
【技術分野】
【０００１】
この発明は、特に云えば清掃工場のごみピットや汚水処理場の汚水処理槽等の建屋において、一時的に仮置きしたごみや汚水等から発生する臭気が建屋外へ漏れ出ないように閉じ込めるため、気密性シートで気密構造に覆った屋根構造の技術分野に属する。
【背景技術】
【０００２】
一般に、一般家庭や工場等で排出された大量のゴミは、ごみ回収用のトラックで回収されて清掃工場に運ばれた後、清掃工場に設けられたごみピット建屋へ運ばれ、焼却炉へ移されるまでごみピットにおいて一時的に仮置きされる。このとき、ごみピットに仮置きされたごみから、非常にきつい臭気が発生し、現場の作業員も苦慮している上、ゴミの臭気がごみピット建屋内から漏れ出ると近隣住民から苦情が寄せられることが懸念される。このことは、汚水処理場の汚水処理槽等の建屋においても同様である。
そのため、例えば図１０に示すように、鉄骨梁３、３の間を小梁４で接合した屋根架構の上面を折版５で葺いて成る建屋の屋根構造２の前記折版５の下面に、防臭用の気密性シート８を敷設して臭気を閉じ込める気密状態とし、建屋からごみの臭気が一切漏れ出ないように完全な防臭対策がなされている。
しかし、前記折版５の下面へ長尺の気密性シート８を敷設する作業は、同折版５の凹凸納まりへ気密性シート８を貼り付けることから、作業が非常に面倒で手間が掛かることが問題となっていた。しかも、ごみピットや汚染処理槽の建屋の屋根構造２は、ごみピットの床面から高さ約５０ｍの高い所に位置することから、折版５の設置作業や、気密性シート８の敷設作業を行う作業員の作業足場を仮設する必要があるし、更には作業員が建屋の床面へ落下することを防止する落下防止ネット等の安全対策を設ける必要があり、その作業足場や落下防止ネットの仮設に時間が掛かり工期が長期化して非常に不経済である。
【０００３】
ところで、建物を気密構造とする技術としては、例えば下記特許文献１及び２に開示されており既に実用に供されている。
下記特許文献１は、床梁間に設けられた床根太の上面に床版が設置され、各床板の上面に壁パネルが立設された建物の気密構造である。各床板の上面から壁パネルの下部を経由して各床梁の外側面に至る気密性シートが敷設され、床梁と床との間の気密性を高めた構成である。
また、下記特許文献２に開示された建物の気密構造は、天井面の全面に天井野縁が配置され、該天井野縁の下面に気密性シートが敷設されて形成された天井気密面と、独立柱、間仕切壁及び内壁などの天井気密面と交差する部分を気密構造とする技術である。
【先行技術文献】
【特許文献】
【０００４】
【特許文献１】特開平１１−３６５００号公報
【特許文献２】特開２００１−２５４４７３号公報
【発明の開示】
【発明が解決しようとする課題】
【０００５】
上記特許文献１及び２に開示された構造物の気密構造は、構造物の特に梁と床面、或いは柱や壁と床面との交差部分を気密性シートを用いて気密構造とすることは認められるものの、清掃工場のごみピットや汚水処理場の汚水処理槽等の建屋における屋根構造の気密構造を対象とする技術ではない。
また、特許文献２に開示された構造物の気密構造のように、天井野縁の下面へ気密性シートを敷設する場合、作業員は上向き作業姿勢となり非常に作業し難いばかりか、作業足場を仮設する必要があり工期が長期化することが考えられる。
【０００６】
本発明の目的は、清掃工場のごみピットや汚水処理場の汚水処理槽等の建屋の特に屋根構造について臭気を閉じ込める気密構造を実現する技術、特に防臭用の気密性シートを使用して容易に、且つフラットデッキの上に乗って下向きの作業姿勢で迅速に施工することができ、しかもフラットデッキは屋根を構成する折版の設置作業に必要な作業用足場を提供でき、落下防止用ネットの仮設を省けて、経済的に短工期に施工することができる屋根構造を提供する。
【課題を解決するための手段】
【０００７】
上記の課題を解決するための手段として、請求項１に記載した発明に係る屋根構造は、
ごみピットや汚水処理槽等の建屋における屋根構造において、
鉄骨により架構された屋根架構の上面を折版５で葺いて成る屋根構造２の鉄骨梁３の下フランジ３０ｂ間へフラットデッキ７が架設され、前記フラットデッキ７の上面に気密性シート８が敷設されており、
前記気密性シート８の周縁部が周接する部材（３、９、１３、１４）の立ち上がり面に沿ってシール材８７が設けられ、該シール材８７へ前記気密性シート８の周縁部を前記シール材８７に沿って貼り付けて、前記気密性シート８の周縁部と前記部材（３、９、１３、１４）の立ち上がり面との境界部分の隙間を塞ぎ、前記気密性シート８が気密構造に止着されていることを特徴とする。
【０００８】
請求項２に記載した発明は、請求項１に記載した屋根構造において、
長尺の気密性シートがフラットデッキの上面へ敷設され、同気密性シートの長手方向の縁部は該気密性シートの周縁部が周接する部材の立ち上がり面へ気密構造に止着され、長手方向の端部も前記周接する部材の立ち上がり面へ気密構造に止着され、更に長尺の気密性シート同士の隣接縁同士も気密的に接合されていることを特徴とする。
【発明の効果】
【００１０】
本発明に係る屋根構造は、清掃工場のごみピットや汚水処理場の汚水処理槽等の建屋の屋根構造２を構成する鉄骨梁３の下フランジ３０ｂ、３０ｂ間へフラットデッキ７を架設して平坦面を形成し、該平坦なフラットデッキ７の上面へ防臭用の気密性シート８を敷設するので、臭気を閉じ込める気密構造を実現でき、該気密性シート８を使用して容易に、且つフラットデッキ７の上に乗って下向きの作業姿勢で迅速に施工することができる。
また、屋根を構成する折版５の設置作業に際し、鉄骨梁３の下フランジ３０ｂ間へ架設したフラットデッキ７を作業員の足場代用とすることができるので、前記フラットデッキ７が折版５の設置作業に必要な作業足場を提供でき、架設足場を省略でき、作業員の安全性も確保できるから落下防止用ネットの仮設も省けて、経済的に短工期に施工することができる。
【図面の簡単な説明】
【００１１】
【図１】ごみピット建屋の要部を示した正面図である。
【図２】図１に示すＵ−Ｕ線矢視の拡大断面図である。
【図３】鉄骨梁、フラットデッキ及び気密性シートの関係を示した斜視図である。
【図４】本発明に係る屋根構造を示した斜視図である。
【図５】気密性シートを省略した図２に示すＶ−Ｖ線矢視の拡大断面図である。
【図６】本発明に係る屋根構造を示した斜視図である。
【図７】気密性シートの敷設作業を示した説明図である。
【図８】（ａ）〜（ｄ）は隣接する気密性シートの重ね部分を接合する手順を示した説明図である。
【図９】図２に示すＷ部の拡大図である。
【図１０】従来のごみピット建屋の屋根構造を示した拡大図である。
【発明を実施するための形態】
【００１２】
本発明に係る屋根構造は、一例として鉄骨梁３の間を小梁４で接合した屋根架構の上面を折版５で葺いて成る屋根構造２の鉄骨梁３の下フランジ３０ｂ間へフラットデッキ７が架設されており、フラットデッキ７の上面に気密性シート８が敷設され、気密性シート８の周縁部が周接する各鉄骨梁９、柱１４又は躯体壁面１３へ気密構造に止着されている。
【実施例１】
【００１３】
以下に、本発明に係る屋根構造を図示した実施例に基づいて説明する。
図１は、建屋１の屋根構造２の一例として清掃工場のごみピット建屋の全体図を示している。
図１に示すごみピット建屋１は、ごみ回収用のトラック１０で回収されたごみ１２を一時的に仮置きするごみピット１１が地上から深さ約１６ｍで形成され、ごみピット１１の床面から約５５ｍの高さに屋根構造２が構築されている。前記屋根構造２は、図２に拡大して示すように、同屋根構造２に沿って一例として約４．７５ｍの間隔をあけて設置された鉄骨梁３、３の間を小梁４で接合して屋根架構が形成され、同屋根架構の上面に台形波形状の折版５で葺いた構成である。
前記鉄骨梁３は、図２に示すようにＨ型鋼で構成されており、その寸法は一例としてフランジ３０ａ、３０ｂの幅が３０ｃｍ程度、ウェブ３１の成が９０ｃｍ程度である。前記鉄骨梁３の上フランジ部３０ａとウェブ３１の上方部分には連結部材６を溶接して接合しており、前記隣接する鉄骨梁同士３、３は、前記連結部材６へボルト６ａ…で接合した小梁４よって接合されている。前記小梁４もＨ型鋼で構成されており、その寸法は一例としてフランジの幅が１２ｃｍ程度、ウェブの成が２５ｃｍである。
なお、鉄骨梁３の上フランジ３０ａの上面には、同上面と小梁の上面とが面一となるように調整部材３２が設置されている。
【００１４】
前記鉄骨梁３の下フランジ３０ｂ、３０ｂの間には、図２〜４に示すように、鋼製のフラットデッキ７が鉄骨梁３の長手方向に沿って複数枚並べて架け渡され、鉄骨梁３の下フランジ３０ｂ、３０ｂへ載置された該フラットデッキ７の縁部が、同鉄骨梁３の下フランジ３０ｂの上面へ溶接７ａされて強固に固定されている。
前記フラットデッキ７は厚さが１．６ｍｍ程度であり、図３及び図５に示すように、上面が平坦で上端部に閉じ合わせ部７１を持つ長手方向の補強リブ７０を下面側に複数条備えている。そして、図５に示すように、一方の縁部には、フラットデッキ７の上面より一段下がった水平片７２が形成されており、他方の縁部には、隣接するフラットデッキ７の閉じ合わせ部７１へ差し込む直角折り曲げ部７３が形成されている。隣接するフラットデッキ７、７同士は、一方のフラットデッキ７の直角折り曲げ部７３が形成された側の端部を、他方のフラットデッキ７の水平片７２へ載置させ、閉じ合わせ部７１へ前記直角折り曲げ部７３を差し込むことにより接合される。
【００１５】
上記鉄骨梁３の下フランジ３０ｂ、３０ｂの間に設置された複数のフラットデッキ７のうち、鉄骨梁３と直交する鉄骨梁９に隣接するフラットデッキ７は、前記直交する鉄骨梁９の長手方向へ沿う縁部が該鉄骨梁９の下フランジ部の上面へ載置されて溶接等で強固に固定されている（図４及び図６を参照）。
また、図６に示すように、直交する鉄骨梁３、９が交差する位置に柱１４がある場合には、前記柱１４の側面へ支持部材１４ａを溶接等により固定し、該支持部材１４ａの上面へ載置させたフラットデッキ７の縁部を溶接して強固に固定させる。因みに、前記柱１４は、一例として約４０ｃｍ×４０ｃｍ角程度の角形鋼を用いた構成を示しているが、Ｈ型鋼を用いた構成で実施することもできる。また、前記支持部材１４ａは、柱１４が前記寸法で成る場合、柱１４の側面から約５ｃｍ程度外方へ突き出す構成とする。
なお、図６に示す実施例の場合は、前記鉄骨梁３に直交する鉄骨梁９の上下フランジ間へガセットプレート９ａを溶接して固定し、該ガセットプレート９ａへ溶接又はボルト接合により固定された小梁４０が設けられており、上記構成のフラットデッキ７は、鉄骨梁３と小梁４０の下フランジ間へ架設させる。なお、詳細に図示することは省略したが、この場合の折版屋根葺きは、鉄骨梁３、９の上フランジの上部へ公知の例えばＣ型鋼による母屋を架設し、タイトフレームを設けて葺いても良い。
【００１６】
上記鉄骨梁３の下フランジ３０ｂ、３０ｂ間に設置されたフラットデッキ７の上面には、その全面にわたり防臭用の気密性シート８が敷設されており、臭気を閉じ込める気密構造とされている。
以下に、フラットデッキ７の上面に気密性シート８を敷設する作業を図７及び８に基づいて説明する。
前記長尺の気密性シート８は、一例として塩化ビニル製で、厚さ２ｍｍ程度、幅１．８ｍ程度であり、ロール状に巻かれた状態で現場に運ばれる。
先ず、上述したように鉄骨梁３、３の下フランジ３０ｂ、３０ｂ間に設置したフラットデッキ７の上面へ専用接着剤を塗布し、図７に示すように、その上からロール状の気密性シート８を回転させて、該気密性シートをフラットデッキ７の上面へ貼り付ける。なお、隣接する気密性シート８、８相互の接合縁同士８０、８０は、図７に拡大して示すように、１５ｍｍ〜２０ｍｍ程度に重ね合わせる。そして、フラットデッキ７の上面に気密性シート８を貼り付け終えたら、同気密性シート８の上面からローラーで満遍なく押圧し、該気密性シート８を前記フラットデッキ７の上面へ圧着させる。
次に、前記専用接着剤が乾き、前記気密性シート８がフラットデッキ７の上面へ完全に貼り付いた後、図８（ａ）に示すように、前記気密性シート８、８相互の接合縁部同士８０、８０の重なった部分を落とし込み用工具８１を用いてＶ字状又はＵ字状にカットする。カットする深さは気密性シート８の厚みの１/２〜２/３程度とする。
次に、図８（ｂ）に示すように、前記カットした接合縁部８０へ目地溶接棒（図示は省略）を差し込んだノズル８４を設置し、溶接機８２を手前に引きながら、溶接作業を行う。その後、図８（ｃ）に示すように、気密性シート８の上面から若干盛り上がった溶接済みの目地溶接棒８３へトリムガイド８５を当てがい、スパチュラナイフ８６等で一度荒削りをした後、図８（ｄ）に示すように、前記気密性シート８の上面と略面一となるように丁寧に目地仕上げを行う。
【００１７】
上記気密性シート８の周縁部は、該気密性シート８の周縁部が周接する部材の立ち上がり面へ気密構造に止着されている。前記部材の立ち上がり面とは、大梁（３又は９）や小梁等４０の鉄骨梁のウェブ面、柱１４の側面、鉄筋コンクリート壁面や軽量気泡コンクリート壁面等の躯体壁面１３をいう。
具体的には、前記気密性シート８の鉄骨梁３の長手方向に沿う縁部は、図９に示すように、フラットデッキ７の縁部を越えた前記鉄骨梁３の下フランジ部３０ｂ又はウェブ３１の境界部分に、鉄骨梁３の長手方向へ沿ってシール材８７を設け、該シール材８７の上から気密性シート８の縁部を貼り付けて、該境界部分の隙間を塞いで気密構造にする。なお、前記シール材８７は不定形又は定形の例えばウレタン系、シリコン系、エポキシ系、アクリル系で構成されたものが使用される。
前記気密性シート８の周接する鉄骨梁９の長手方向に沿う縁部も、前記シール材８７を用いて周接する鉄骨梁９の下フランジ又はウェブへ止着して気密構造にする。
但し、気密構造としては、前記鉄骨梁３、９のウェブへシール材８７を止着した構成がより好ましい。
同様に、図１に示すように敷設した気密性シート８と躯体壁面１３との境界部分や、図６に示すように敷設した気密性シート８と柱１４の側面との境界部分においてもシール材８７を使用して該境界部分の隙間を塞ぎ気密構造にする。
【００１８】
したがって、本発明に係る屋根構造は、屋根構造２を構成する鉄骨梁３の下フランジ３０ｂ、３０ｂ間へフラットデッキ７を架設して平坦面を形成し、該平坦なフラットデッキ７の上面へ防臭用の気密性シート８を敷設して臭気を閉じ込める気密構造を実現できるので、該気密性シート８を使用して容易に、且つフラットデッキ７の上に乗って下向きの作業姿勢で迅速に施工することができる。
【００１９】
上記屋根架構の上面に設置される鋼製の折版５は、図２に示すように、断面が台形波形状であり、上辺部が上記小梁４へタイトフレーム用ボルト５ａや溶接等で接合されている。前記折版５を設置するに際し、作業員は鉄骨梁３の下フランジ３０ｂ、３０ｂ間に設置したフラットデッキ７を足場代用として作業を行うことができる。よって、前記フラットデッキ７が折版５の設置作業に必要な作業足場を提供でき、仮設足場を省略でき、作業員の安全性も確保できるから落下防止用ネットの仮設も省けて、経済的に短工期に施工することができる。
【００２０】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【符号の説明】
【００２１】
１      建屋
１３    躯体壁面
２      屋根構造
３      鉄骨梁
３０ｂ  下フランジ
４      小梁
５      折版
５ａ    タイトフレーム用ボルト
７      フラットデッキ
８      気密性シート
８７    シール材
【図１】
0005667865.tif 000002
【図２】
0005667865.tif 000003
【図３】
0005667865.tif 000004
【図４】
0005667865.tif 000005
【図５】
0005667865.tif 000006
【図６】
0005667865.tif 000007
【図７】
0005667865.tif 000008
【図８】
0005667865.tif 000009
【図９】
0005667865.tif 000010
【図１０】
0005667865.tif 000011